(57)【要約】【課題】低背化され、かつ、自己補正可能なＩＣカード用コネクタを提供する。【解決手段】ＩＣカードと電気接続する複数のコンタクト３とコンタクト３を保持するハウジング１を備える。コンタクト３は、固定アーム３ａ、及び先端部に接点３１を形成する弾性アーム３ｂを有する。固定アーム３ａ及び弾性アーム３ｂは略Ｖ字状に基端部同士を結合する。ハウジング１は、接点３１が一方の面１ｓから突出するように固定アーム３ａを一体成形する。第１辺側１ａからＩＣカードが挿入される第１挿入方向Ｙ１、及び第２辺１ｂ側からＩＣカードが挿入される第２挿入方向Ｘ１に対して、弾性アーム３ｂの基端部側から接点３１に向う方向が斜めに交差し、かつ第１及び第２挿入方向Ｙ１・Ｘ１のいずれかの方向から挿入されるＩＣカードにスライドして、弾性アーム３ｂが撓み可能に並列配置されている。【選択図】図１
2007149394.tif 000002
【特許請求の範囲】
【請求項１】
ＩＣカードの接続端子と電気接続する複数のカンチレバーコンタクトと、これらカンチレバーコンタクトを保持する略長方形の板状のハウジングと、を備え、
前記カンチレバーコンタクトは、固定アーム、及び先端部に円弧状の接点を形成する弾性アームを有し、これら固定アーム及び弾性アームが略Ｖ字状に基端部同士を結合している板状コンタクトからなり、
前記ハウジングは、前記接点が当該ハウジングの一方の面から突出するように前記固定アームを一体成形し、
前記ハウジングの第１辺側から前記ＩＣカードが挿入される第１挿入方向、及び前記第１辺に隣接して直交する第２辺側から前記ＩＣカードが挿入される第２挿入方向に対して、前記弾性アームの基端部側から前記接点に向う方向が斜めに交差し、かつ前記第１及び第２挿入方向のいずれかの方向から挿入される前記ＩＣカードにスライドして、当該弾性アームが撓み可能に並列配置されているコネクタ。
【請求項２】
ＩＣカードの接続端子と電気接続する複数のカンチレバーコンタクトと、これらカンチレバーコンタクトを保持する略長方形の板状のハウジングと、を備え、
前記カンチレバーコンタクトは、固定アーム、及び先端部に円弧状の接点を形成する弾性アームを有し、これら固定アーム及び弾性アームが略Ｖ字状に基端部同士を結合している板状コンタクトからなり、
前記ハウジングは、前記接点が当該ハウジングの一方の面から突出するように前記固定アームを一体成形し、
複数のカンチレバーコンタクトは、第１群と第２群とに区分されて対向配置され、前記ハウジングの第１辺側から前記ＩＣカードが挿入される第１挿入方向に対して、前記第１群及び第２群における弾性アームの基端部側から前記接点に向う方向が二等分線をなすように斜めに交差し、かつ前記第１挿入方向から挿入される前記ＩＣカードにスライドして、当該弾性アームが撓み可能に並列配置されているコネクタ。
【請求項３】
前記カンチレバーコンタクトは、前記固定アームの両翼に突出する一対の張り出し片を備え、この一対の張り出し片を前記ハウジングに一体成形している請求項１又は２記載のコネクタ。
【請求項４】
前記カンチレバーコンタクトは、プリント基板にハンダ接合されるためのハンダ接合部を前記固定アームの先端部に備え、このハンダ接合部がハウジングの他方の面から突出するように配置している請求項１から３のいずれかに記載のコネクタ。
【請求項５】
前記ハウジングは、前記カンチレバーコンタクトの一部を収容する収容室を設けている請求項１から４のいずれかに記載のコネクタ。
【請求項６】
前記ＩＣカードはＳＩＭカードを含んでいる請求項１から５のいずれかに記載のコネクタ。
【発明の詳細な説明】
【技術分野】
【０００１】
本発明は、電気接続用コネクタに関する。特に、携帯電話機などに使用されるＳＩＭ（Ｓｕｂｓｃｒｉｂｅｒ  Ｉｄｅｎｔｉｆｙ  Ｍｏｄｕｌｅ：加入者識別モジュール）カード用のコネクタの構造に関する。
【背景技術】
【０００２】
近年では、ＳＩＭカードを装着可能な携帯電話機が普及している。ＳＩＭカードは、電話事業者が発行する、契約者情報を記録したＩＣカードであり、携帯電話に差し込んで利用者の識別に用いられる。例えば、利用者は、ＳＩＭカードを購入後、携帯電話機に装着すれば直に使用できる。又、利用者は、ＳＩＭカードを差し換えることにより、同じ電話番号で別の携帯電話機を利用することもできる。更に、利用者は、同じ携帯電話機で複数のＳＩＭカードを自由に使い分けることもできる。
【０００３】
このようなＳＩＭカード用のコネクタとしては、少なくとも異なる２方向からＳＩＭカードを挿入するコネクタであって、ＳＩＭカードを挿入するための誘い量の大きさを変えることなく、プレス工程において隣接するコンタクトの抜き型のクリアランスを大きくできる複数のコンタクトを備える多方向挿入型コネクタが発明されている（例えば、特許文献１参照）。
【特許文献１】特開２００３−２５７５２９号公報
【発明の開示】
【発明が解決しようとする課題】
【０００４】
図９は、特許文献１における第１実施例のコネクタの構成を示す図である。図９（Ａ）は平面図、図９（Ｂ）は図９（Ａ）のＸ−Ｘ矢視図、図９（Ｃ）は図９（Ａ）の右側面図である。本願の図９は、特許文献１の図２に相当している。図１０は、特許文献１における第２実施例のコネクタに用いられるコンタクトの斜視外観図である。本願の図１０は、特許文献１の図６に相当している。
【０００５】
図９において、コネクタ８０は、複数のコンタクト８２とコンタクト８２を保持するハウジング８１を備えている。コンタクト８２はＳＩＭカード（図示せず）と接続する接触部８３が設けられている。ハウジング８１は、一面８ａに接触部８３が突出するようにコンタクト８２を保持している。コネクタ８０は、コンタクト８２が並設されたピッチ方向である第１のカード挿入方向Ｙ１と、第１のカード挿入方向Ｙ１と直交する第２のカード挿入方向Ｘ１とからＳＩＭカード（図示せず）が挿入される。
【０００６】
図９において、接触部８３は、第１のカード挿入方向Ｙ１側にＳＩＭカードの挿入を案内する第１の誘い部８５と、第２のカード挿入方向Ｘ１側にＳＩＭカードの挿入を案内する第２の誘い部８６をそれぞれ設け、略Ｔ字形状に形成されている。第１及び第２の誘い部８５・８６は、それぞれ少なくとも一部がハウジング８１の一面８ａから引っ込むように構成されている。
【０００７】
図１０において、コンタクト９２は、細長い弾性を備えた金属板を略Ｓ字状に折り曲げて形成されており、円弧状頂上が半分で切除された形の先端部を備えた接触部８３を備えている。接触部８３は、頂上からコンタクト９２の両側の斜め下方向に延在する左右対称形状の第１及び第３の誘い部８５・８７を備えている。第１及び第３の誘い部８５・８７は先端が折れ曲がって下方に向く形状を備え、略Ｔ字状に形成されている。
【０００８】
図１０において、コンタクト９２は、ばね部８８と、保持部８９と、ハンダ付け部９０と、係合部９１と、を備えている。ばね部８８は、接触部８３から内側斜め下方に延びてハウジング８１（図９参照）の上面よりも内部に延び、一旦、ハウジング８１の上面と平行になるように折れ曲がり内部に延び、Ｕ字形を描くようにＵターンし、ハウジング８１の上面に沿ってハウジング８１の外側まで延在している。保持部８９は、ばね部８８の先端に設けられ、下方に折れ曲がってハウジング８１の側面に沿って下方に向かって延在し、ハウジング８１の下端まで延在すると共に、ハウジング８１の装着溝８１ａに圧入固定される。ハンダ付け部９０は、保持部８９の下端で折れ曲がり外方に向かって延在し、図示しないプリント基板にハンダ付けされる。係合部９１は、ハウジング８１の挿入溝と係合する。
【０００９】
図１０に示されたコンタクト９２を複数備えるコネクタは、コンタクト９２が並設されたピッチ方向である第１のカード挿入方向Ｙ１と、第１のカード挿入方向Ｙ１と対向する第３のカード挿入方向Ｙ２とからＳＩＭカード（図示せず）が挿入することができる。
【００１０】
図１０に示されるように、接触部８３の頂上（いわゆる、接点）から斜め下方向に延在する第１及び第３の誘い部８５・８７を備えるコンタクトは、多方向からＳＩＭカードを挿入するためには、優位である。しかし、これらの誘い部に規定されて、ハウジングへの実装高さＨを大きくするという問題がある。接触部８３が一定の撓み量を確保するために、第１及び第３の誘い部８５・８７の先端と保持部８９の間に所定の間隙を設ける必要があるからである。
【００１１】
例えば、ＳＩＭカードを装着可能な携帯電話機は、更なる軽量化・薄形化が求められている。しかし、図９及び図１０に示されるような、カード誘い部を備えるコンタクトは、コネクタの低背化（実装高さを低くすること）に一定の限界がある。ＳＩＭカードをスライドして挿入可能なコネクタにあっては、低背化されたコネクタが求められている。又、ＳＩＭカードの挿入に伴って、その傾き姿勢が修正される、いわゆるセルフアライメント効果を有する自己補正型のコネクタが好ましい。そして、これらのことが本発明の課題といってよい。
【００１２】
本発明は、このような問題に鑑みてなされたものであり、ＩＣカードをスライドして挿入可能なコネクタであって、低背化され、かつ、自己補正可能なコネクタを提供することを目的とする。
【課題を解決するための手段】
【００１３】
本発明者らは、カンチレバーコンタクトを用いて、その自由端の延出方向がＩＣカードの挿入方向と鋭角をもって交差するように、当該カンチレバーコンタクトをハウジングに配置することにより、低背化及び自己補正可能なことを見出し、これに基づいて、以下のような新たなコネクタを発明するに至った。
【００１４】
（１）  ＩＣカードの接続端子と電気接続する複数のカンチレバーコンタクトと、これらカンチレバーコンタクトを保持する略長方形の板状のハウジングと、を備え、前記カンチレバーコンタクトは、固定アーム、及び先端部に円弧状の接点を形成する弾性アームを有し、これら固定アーム及び弾性アームが略Ｖ字状に基端部同士を結合している板状コンタクトからなり、前記ハウジングは、前記接点が当該ハウジングの一方の面から突出するように前記固定アームを一体成形し、前記ハウジングの第１辺側から前記ＩＣカードが挿入される第１挿入方向、及び前記第１辺に隣接して直交する第２辺側から前記ＩＣカードが挿入される第２挿入方向に対して、前記弾性アームの基端部側から前記接点に向う方向が斜めに交差し、かつ前記第１及び第２挿入方向のいずれかの方向から挿入される前記ＩＣカードにスライドして、当該弾性アームが撓み可能に並列配置されているコネクタ。
【００１５】
（１）の発明によるコネクタは、複数のカンチレバーコンタクトと、略長方形の板状のハウジングと、を備えている。カンチレバーコンタクトは、ＩＣカードの接続端子と電気接続する。ハウジングは、これらカンチレバーコンタクトを保持する。
【００１６】
ここで、カンチレバーコンタクトは、片持ち梁がばねと同じ働きをするコンタクトである。このカンチレバーコンタクトは導電性を有しており、導電性の金属板を成形加工して、所望の形状を得ることができる。一方、ハウジングは絶縁性を有している。絶縁性のハウジングは、非導電性の材料からなるハウジングのことであってよく、エンジニアリングプラスチックを成形して、略長方形の板状の形状を得ることができる。
【００１７】
例えば、ＩＣカードは、チップカードとも呼ばれ、後述するようにＳＩＭカードを含んでいる。ＩＣカードは絶縁性のプラスチック筐体の内部にＩＣチップが収納されている。このＩＣチップは、前記筐体の表面に貼り付けられた複数の金属箔に接続されている。そして、複数に区画されたこの金属箔がＩＣカードの接続端子となっている。ここで、カンチレバーコンタクトはＩＣカードの接続端子と電気接続するとは、後述する接点が接続端子を付勢して接触することとにより、電気的に接続することである。又、ハウジングはカンチレバーコンタクトを保持するとは、後述する固定アームがハウジングに保持されることであってよく、固定アーム全体が保持される場合を含み、固定アームの一部が保持される場合を含んでよい。
【００１８】
そして、（１）の発明によるコネクタは、カンチレバーコンタクトが、板状コンタクトからなり、固定アームと弾性アームを有している。弾性アームは、先端部に円弧状の接点を形成している。そして、これら固定アーム及び弾性アームが略Ｖ字状に基端部同士を結合している。ハウジングは、接点がハウジングの一方の面から突出するように、固定アームを一体成形している。
【００１９】
ここで、弾性アームは、細長い帯板状に形成され、先端部が緩やかな円弧に形成されている。固定アームは、後述するように一対の張り出し片を備えてもよく、先端部にハンダ接合部を設けてもよい。固定アーム及び弾性アームが略Ｖ字状に結合しているとは、固定アームに対して弾性アームが傾斜配置されているといってもよく、カンチレバーコンタクトは、弾性アームの基端部が支持され、弾性アームの先端部に荷重が作用する片持ち梁となっている。固定アーム及び弾性アームの基端部同士は、円弧状に結合されることが好ましく、弾性アームに作用する荷重に対して応力集中を緩和できる。
【００２０】
接点がハウジングの一方の面から突出しているとは、弾性アームの一部がハウジングの一方の面から突出していることであって、一方の面と平行にＩＣカードが挿入される。ハウジングは固定アームを一体成形しているとは、固定アームの一部がハウジングにモールド成形されていることであってよく、例えば、後述する一対の張り出し片を利用して、ハウジングにモールド成形されている。
【００２１】
更に、（１）の発明によるコネクタは、ハウジングの第１辺側からＩＣカードが挿入される第１挿入方向、及び第１辺に隣接して直交する第２辺側からＩＣカードが挿入される第２挿入方向に対して、弾性アームの基端部側から接点に向う方向が斜めに交差している。更に、第１及び第２挿入方向のいずれかの方向から挿入されるＩＣカードにスライドして、弾性アームが撓み可能に並列配置されている。
【００２２】
ここで、ハウジングの第１辺側から挿入されるＩＣカードに対して、弾性アームは、ＩＣカードの接続端子に当接して、弾性アームの傾斜角度に沿う力Ｐが作用する。この力Ｐは、第１挿入方向と直交する第２挿入方向に水平分力Ｐｘが作用する。水平分力Ｐｘが作用する方向と対向する側に停止壁を設けることにより、ＩＣカードはこの停止壁にスライドしつつ、力Ｐの垂直分力Ｐｙより大きな力で挿入することができる。すなわち、ＩＣカードの挿入に伴って、その傾き姿勢を修正することが可能となる。
【００２３】
同様に、ハウジングの第２辺側から挿入されるＩＣカードに対して、弾性アームは、ＩＣカードの接続端子に当接して、弾性アームの傾斜角度に沿う力Ｐが作用する。この力Ｐは、第２挿入方向と直交する第１挿入方向に垂直分力Ｐｙが作用する。垂直分力Ｐｙが作用する方向と対向する側に停止壁を設けることにより、ＩＣカードはこの停止壁にスライドしつつ、力Ｐの水平分力Ｐｘより大きな力で挿入することができる。すなわち、ＩＣカードの挿入に伴って、ＩＣカードの傾き姿勢を修正することが可能となる。
【００２４】
例えば、第１挿入方向に対して、弾性アームの基端部側から接点に向う方向を４５度に交差させることにより、第１及び第２挿入方向のいずれからもＩＣカードを挿入することも可能となる。すなわち、異なる２方向からＩＣカードを挿入することが容易となる。そして、（１）の発明によるコネクタは、従来のようにＩＣカードの誘い部を不要としているので、低背化が可能となる。
【００２５】
（２）  ＩＣカードの接続端子と電気接続する複数のカンチレバーコンタクトと、これらカンチレバーコンタクトを保持する略長方形の板状のハウジングと、を備え、前記カンチレバーコンタクトは、固定アーム、及び先端部に円弧状の接点を形成する弾性アームを有し、これら固定アーム及び弾性アームが略Ｖ字状に基端部同士を結合している板状コンタクトからなり、前記ハウジングは、前記接点が当該ハウジングの一方の面から突出するように前記固定アームを一体成形し、複数のカンチレバーコンタクトは、第１群と第２群とに区分されて対向配置され、前記ハウジングの第１辺側から前記ＩＣカードが挿入される第１挿入方向に対して、前記第１群及び第２群における弾性アームの基端部側から前記接点に向う方向が二等分線をなすように斜めに交差し、かつ前記第１挿入方向から挿入される前記ＩＣカードにスライドして、当該弾性アームが撓み可能に並列配置されているコネクタ。
【００２６】
（２）の発明によるコネクタは、複数のカンチレバーコンタクトが、第１群と第２群とに区分されて対向配置されている。そして、ハウジングの第１辺側からＩＣカードが挿入される第１挿入方向に対して、第１群及び第２群における弾性アームの基端部側から接点に向う方向が二等分線をなすように斜めに交差している。更に、第１挿入方向から挿入されるＩＣカードにスライドして、弾性アームが撓み可能に並列配置されている。
【００２７】
例えば、３本ずつのカンチレバーコンタクトが第１群及び第２群としてそれぞれ配置される。第１群及び第２群における弾性アームの基端部側から接点に向う方向が二等分線をなすように斜めに交差しているとは、対を成す弾性アームが「ハ」の字状に配列されていることであってよく、ハウジングの第１辺側から挿入されるＩＣカードは、弾性アームに当接しつつスライドすることにより、ＩＣカードの傾き姿勢を修正することが可能となる。
【００２８】
（３）  前記カンチレバーコンタクトは、前記固定アームの両翼に突出する一対の張り出し片を備え、この一対の張り出し片を前記ハウジングに一体成形している（１）又は（２）記載のコネクタ。
【００２９】
例えば、一対の張り出し片に、それぞれ位置決め用の穴を設けてもよく、この一対の穴が、ハウジングに設けられた一対のボスに嵌合されて、カンチレバーコンタクトが位置決めされる。その後、この一対の張り出し片が一体成形されて、ハウジングに固定される。
【００３０】
（４）  前記カンチレバーコンタクトは、プリント基板にハンダ接合されるためのハンダ接合部を前記固定アームの先端部に備え、このハンダ接合部がハウジングの他方の面から突出するように配置している（１）から（３）のいずれかに記載のコネクタ。
【００３１】
（５）  前記ハウジングは、前記カンチレバーコンタクトの一部を収容する収容室を設けている（１）から（４）のいずれかに記載のコネクタ。
【００３２】
この収容室は、ハウジングの一方の面及び他方の面に開口した貫通穴であってよく、隣接する収容室同士を連通してもよい。カンチレバーコンタクトの一部とは、固定アームを含み、ハウジングの一方の面から突出する以外の弾性アームの部位を含むことができる。カンチレバーコンタクトの一部を収容するとは、カンチレバーコンタクトの一部が、収容室に挿入、保持、収納などにより配置されることを含むことができる。
【００３３】
（６）  前記ＩＣカードはＳＩＭカードを含んでいる（１）から（５）のいずれかに記載のコネクタ。
【発明の効果】
【００３４】
本発明によるコネクタは、カンチレバーコンタクトを用いて、その自由端の延出方向がＩＣカードの挿入方向と鋭角をもって交差するように、当該カンチレバーコンタクトをハウジングに配置しているので、ＩＣカードの挿入に伴って、カンチレバーコンタクトにスライドしつつ、その傾き姿勢を修正できる。又、自由端の延出方向を４５度に傾斜させれば、異なる２方向からＩＣカードを挿入することもできる。発明によるコネクタは、従来のようにＩＣカードの誘い部を不要としているので、低背化が可能となる。
【発明を実施するための最良の形態】
【００３５】
以下、図面を参照して本発明を実施するための最良の形態を説明する。
【００３６】
図１は、本発明によるコネクタの第１実施形態の構成を示す図であり、図１（Ａ）は平面図、図１（Ｂ）は正面図、図１（Ｃ）は右側面図である。図２は、前記第１実施形態によるコネクタの背面図である。図３は、図１におけるＸ−Ｘ矢視図であり、本発明によるカンチレバーコンタクトの縦断面図となっている。図４は、本発明によるカンチレバーコンタクトの一実施形態を示す斜視外観図である。図５は、前記実施形態によるカンチレバーコンタクトが複数個、同時に製作されている状態を示す図であり、図５（Ａ）は平面図、図５（Ｂ）は正面図である。
【００３７】
図６は、本発明によるコネクタの第２実施形態の構成を示す平面図である。図７は、前記第２実施形態によるコネクタに対して、ＳＩＭカードの右方が傾いて挿入されようとしている状態を示す平面図である。図８は、前記第２実施形態によるコネクタに対して、ＳＩＭカードの左方が傾いて挿入されようとしている状態を示す平面図である。
【００３８】
最初に、本発明によるコネクタの第１実施形態の構成を説明する。図１において、コネクタｃｎ１は、複数のカンチレバーコンタクト（以下、コンタクトと略称する）３と、略長方形の板状のハウジング１と、を備えている。コンタクト３は、片持ち梁がばねと同じ働きをするコンタクトであって、導電性の金属板を成形加工している。ハウジング１は絶縁性を有するエンジニアリングプラスチックを成形している。
【００３９】
図３において、コンタクト３は、板状コンタクトからなり、固定アーム３ａと弾性アーム３ｂを有している。弾性アーム３ｂは、先端部に円弧状の接点３１を形成している。そして、固定アーム３ａ及び弾性アーム３ｂが略Ｖ字状に基端部同士を結合している。ハウジング１は、接点３１がハウジング１の一方の面１ｓから突出するように、固定アーム３ａを一体成形している。
【００４０】
図３又は図４において、弾性アーム３ｂは、細長い帯板状に形成され、先端部が緩やかな円弧に形成されている。固定アーム３ａは、一対の張り出し片３ｃ・３ｄを備え、先端部にハンダ接合部３２を設けている。固定アーム３ａに対して弾性アーム３ｂは傾斜配置されている。コンタクト３は、弾性アーム３ｂの基端部が支持され、弾性アーム３ｂの先端部に荷重が作用する片持ち梁となっている。固定アーム３ａ及び弾性アーム３ｂの基端部同士は、円弧状に結合されている。
【００４１】
図１において、接点３１を含む弾性アーム３ｂの一部が、ハウジング１の一方の面１ｓから突出している。そして、一方の面１ｓと平行にＳＩＭカード４（図６参照）が挿入される。コンタクト３は、一対の張り出し片３ｃ・３ｄを利用して、ハウジング１にモールド成形されている（図２参照）。
【００４２】
図４において、一対の張り出し片３ｃ・３ｄには、それぞれ位置決め用の穴３ｅ・３ｆが設けられている。一対の穴３ｅ・３ｆが、ハウジング１に設けられた一対のボス（図示せず）に嵌合されて、コンタクト３が位置決めされる。その後、一対の張り出し片３ｃ・３ｄが一体成形されて、ハウジング１に固定される（図２参照）。
【００４３】
図３において、コンタクト３は、固定アーム３ａの先端部にプリント基板（図示せず）にハンダ接合されるためのハンダ接合部３２を備えている。ハンダ接合部３２は、ハウジング１の他方の面１ｒから突出するように配置されている。そして、ハウジング１は、コンタクト３を収容する収容室１１を設けている。収容室１１は、ハウジング１の一方の面１ｓ及び他方の面１ｒに開口した貫通穴であって、隣接する収容室１１同士が連通している（図２参照）。
【００４４】
図５に示されるように、展開された金属板が打ち抜き加工、折り曲げ加工、及び絞り加工されて、複数のコンタクト３が同時に製造される。連続する複数のコンタクト３は、分離線ｓ１・ｓ２で切り離されて、ハウジング１に組み立てられる（図１参照）。
【００４５】
次に、第１実施形態によるコネクタの作用を説明する。図１において、ハウジング１の第１辺１ａ側からＳＩＭカード４（図７参照）が挿入される第１挿入方向Ｙ１、及び第１辺１ａに隣接して直交する第２辺１ｂ側からＳＩＭカード４が挿入される第２挿入方向Ｘ１に対して、弾性アーム３ｂの基端部側から接点３１に向う方向が斜めに交差している。更に、第１及び第２挿入方向Ｙ１・Ｘ１のいずれかの方向から挿入されるＳＩＭカード４にスライドして、弾性アーム３ｂが撓み可能に並列配置されている。
【００４６】
図１において、３本ずつのコンタクト３が第１群Ｇ１及び第２群Ｇ２としてそれぞれ配置される。図１において、６本のコンタクト３は、弾性アーム３ｂの基端部側から接点３１に向う方向が、全て同じとなっている。
【００４７】
図１において、ハウジング１の第１辺１ａ側から挿入されるＳＩＭカード４に対して、弾性アーム３ｂは、ＳＩＭカード４の接続端子に当接して、弾性アーム３ｂの傾斜角度に沿う力Ｐが作用する。この力Ｐは、第１挿入方向Ｙ１と直交する第２挿入方向Ｘ１に水平分力Ｐｘが作用する。そして、水平分力Ｐｘが作用する方向と対向する側に停止壁（図示せず）を設けることにより、ＳＩＭカード４はこの停止壁にスライドしつつ、力Ｐの垂直分力Ｐｙより大きな力で挿入することができる。すなわち、ＳＩＭカード４の挿入に伴って、その傾き姿勢を修正することが可能となる。
【００４８】
同様に、ハウジング１の第２辺１ｂ側から挿入されるＳＩＭカード４に対して、弾性アーム３ｂは、ＳＩＭカード４の接続端子に当接して、弾性アーム３ｂの傾斜角度に沿う力Ｐが作用する。この力Ｐは、第２挿入方向Ｘ１と直交する第１挿入方向Ｙ１に垂直分力Ｐｙが作用する。垂直分力Ｐｙが作用する方向と対向する側に停止壁（図示せず）を設けることにより、ＳＩＭカード４はこの停止壁にスライドしつつ、力Ｐの水平分力Ｐｘより大きな力で挿入することができる。すなわち、ＳＩＭカード４の挿入に伴って、その傾き姿勢を修正することが可能となる。
【００４９】
図１において、第１辺１ａ側からＳＩＭカード４を挿入するためには、第１辺１ａと弾性アーム３ｂの基端部側から接点３１に向う方向との交差角αは６０度程度が好ましく、第２辺１ｂ側からＳＩＭカード４を挿入するためには、交差角αは３０度程度が好ましい。交差角αを４５度とすることにより、第１及び第２挿入方向Ｙ１・Ｘ１のいずれからもＳＩＭカード４を挿入することが容易となる。すなわち、異なる２方向からＳＩＭカード４を挿入することが容易となる。そして、本発明によるコネクタは、従来のように誘い部を不要としているので、低背化が可能となる。
【００５０】
次に、本発明によるコネクタの第２実施形態の構成を説明する。図６において、コネクタｃｎ２は、複数のコンタクト３と、略長方形の板状のハウジング２と、を備えている。なお、第１実施形態のコネクタｃｎ１と、第１実施形態のコネクタｃｎ２は、ハウジングに対するコンタクトの配置が異なるだけであるので、重複する説明は以下において割愛する場合がある。
【００５１】
図６において、ＳＩＭカード４は、絶縁性のプラスチック筐体の内部にＩＣチップが収納されている。このＩＣチップは、前記筐体の表面に貼り付けられた複数の金属箔に接続されている。複数に区画されたこの金属箔が、ＳＩＭカード４の接続端子４１となっている。図６において、６箇所の接続端子４１が接点３１と電気的に接続する。
【００５２】
図６において、ハウジング２は、接点３１がハウジング２の一方の面から突出するように固定アーム３ａを一体成形している（図３参照）。複数のコンタクト３は、第１群Ｇ１と第２群Ｇ２とに区分されて対向配置されている。そして、ハウジング２の第１辺２ａ側からＳＩＭカード４が挿入される第１挿入方向Ｙ１に対して、第１群及び第２群Ｇ１・Ｇ２における弾性アーム３ｂの基端部側から接点３１に向う方向が二等分線をなすように斜めに交差している。更に、第１挿入方向Ｙ１から挿入されるＳＩＭカード４にスライドして、弾性アーム３ｂが撓み可能に並列配置されている。
【００５３】
次に、第２実施形態によるコネクタの作用を説明する。図６において、３本ずつのコンタクト３が第１群Ｇ１及び第２群Ｇ２としてそれぞれ配置されている。図６に示されるように、対を成す弾性アーム３ｂ・３ｂが「ハ」の字状に配列されている。ハウジング２の第１辺２ａ側から挿入されるＳＩＭカード４は、弾性アーム３ｂに当接しつつスライドすることにより、ＳＩＭカード４の傾き姿勢を修正することが可能となる。
【００５４】
例えば、図７に示されるように、コネクタｃｎ２に対して、右方が傾いて第１挿入方向Ｙ１から挿入されるＳＩＭカード４は、対を成す弾性アーム３ｂ・３ｂに接しつつスライドすることにより、ＳＩＭカード４の傾き姿勢が修正される。一方、図８に示されるように、コネクタｃｎ２に対して、左方が傾いて第１挿入方向Ｙ１から挿入されるＳＩＭカード４は、対を成す弾性アーム３ｂ・３ｂに接しつつスライドすることにより、ＳＩＭカード４の傾き姿勢が修正される。
【００５５】
このように、第２実施形態によるコネクタは、ＳＩＭカードの挿入に伴って、その傾き姿勢が修正される、セルフアライメント効果を有する自己補正を可能としている。又、第２実施形態によるコネクタは、従来のように誘い部を不要としているので、低背化が可能となる。
【図面の簡単な説明】
【００５６】
【図１】本発明によるコネクタの第１実施形態の構成を示す図である。
【図２】前記第１実施形態によるコネクタの背面図である。
【図３】図１におけるＸ−Ｘ矢視図であり、本発明によるカンチレバーコンタクトの縦断面図である。
【図４】本発明によるカンチレバーコンタクトの一実施形態を示す斜視外観図である。
【図５】前記実施形態によるカンチレバーコンタクトが複数個、同時に製作されている状態を示す図である。
【図６】本発明によるコネクタの第２実施形態の構成を示す平面図である。
【図７】前記第２実施形態によるコネクタに対して、ＳＩＭカードの右方が傾いて挿入されようとしている状態を示す平面図である。
【図８】前記第２実施形態によるコネクタに対して、ＳＩＭカードの左方が傾いて挿入されようとしている状態を示す平面図である。
【図９】従来技術における第１実施例のコネクタの構成を示す図である。
【図１０】従来技術における第２実施例のコネクタに用いられるコンタクトの斜視外観図である。
【符号の説明】
【００５７】
１・２  ハウジング
１ａ・２ａ  第１辺
１ｂ  第２辺
１ｒ  他方の面
１ｓ  一方の面
３  カンチレバーコンタクト（コンタクト）
３ａ  固定アーム
３ｂ  弾性アーム
４  ＩＣカード（ＳＩＭカード）
３１  接点
４１  接続端子
ｃｎ１・ｃｎ２  コネクタ
Ｘ１  第２挿入方向
Ｙ１  第１挿入方向
【図１】
2007149394.tif 000003
【図２】
2007149394.tif 000004
【図３】
2007149394.tif 000005
【図４】
2007149394.tif 000006
【図５】
2007149394.tif 000007
【図６】
2007149394.tif 000008
【図７】
2007149394.tif 000009
【図８】
2007149394.tif 000010
【図９】
2007149394.tif 000011
【図１０】
2007149394.tif 000012